(57)【要約】      （修正有）【課題】自由落下高さの正確性の確保、貫入回数の数え違い、誤記といった人為的過失の防止、ハンマーとノッキングヘッドの間に手指を挟む等の危険性の回避、腕の疲労回復のために相当な休憩時間の省力化、自動化によって人員の削減が確保出来る自動簡易動的コーン試験機。【解決手段】地盤工学会で定める簡易動的コーン試験機に次の大きく五つの部位を装着して作る。装着部位は１制御・表示部位、２駆動部位、３稼動部位、４ａおよび４ｂ計測部位、５ａおよび５ｂ支持部位、６データ出力端末部位からなる。【選択図】図１
0003115488.tif 000002
【実用新案登録請求の範囲】
【請求項１】
人力で行っている簡易動的コーン貫入試験機に動力装置を設置することで、自動化したところを特徴とする自動簡易動的貫入試験機。
【考案の詳細な説明】
【技術分野】
【０００１】  本考案は、動力装置を設けて自動化した簡易動的コーン貫入試験機に関するものである。
【背景技術】
【０００２】  従来、地盤工学会で定めている簡易動的コーン貫入試験の目的は「質量５ｋｇのハンマーを５０ｃｍの高さから自由落下させ、土の貫入抵抗を求める」ものであるが、質量５ｋｇのハンマーを５０ｃｍの高さから自由落下させるために人力で行っている。この動的貫入試験は拳大の礫であればハンマーの落下衝撃で砕いてより深くまで試験することが出来るメリットがある反面、落下回数が多くなるデメリットがある。このようなデメリットがあり、試験をするために二〜三人の人員が必要であり、ハンマーを上下させるための腕の疲労から自由落下高さ５０ｃｍが正確に確保できない、貫入回数の数え違い、記録する際や転記する際の誤記といった人為的過失、ロッドを手で支えていることからハンマーとノッキングヘッドの間に手指を挟む人身事故の発生、腕の疲労回復のために相当な休憩時間が必要である。本考案のように動力を使用することで、自動化し、正確性、人為的過失の防止、危険性回避、省力化、人員の削減が確保できる物は無かった。
【考案の開示】
【考案が解決しようとする課題】
【０００３】  従来、この動的貫入試験をするために二〜三人の人員が必要であり、ハンマーを上下させるための腕の疲労から自由落下高さ５０ｃｍが正確に確保できない、貫入回数の数え違い、記録する際や転記する際や誤記といった人為的過失、ロッドを手で支えていることからハンマーとノッキングヘッドの間に手指を挟む人身事故の発生、腕の疲労回復のために相当な休憩時間が必要であった。
従って、本考案は動力の装置を設けることにより、ハンマーの上下運動を自動化することによって、これらの欠点を解決しようとするものである。
【課題を解決するための手段】
【０００４】  本考案は、動力を使用した自動簡易動的コーン貫入試験機で、地盤工学会で定める簡易動的コーン貫入試験機に１制御・表示部位、２駆動部位、３稼動部位、４ａおよび４ｂ計測部位、５ａおよび５ｂ支持部位、６データ出力端末部位を装着することによって、自由落下高さ５０ｃｍを正確に確保し、貫入回数の数え違い、記録する際や転記する際の誤記といった人為的過失の防止、ロッドを手で支えていることからハンマーとノッキングヘッドの間に手指を挟む等の人身事故・危険性の回避、腕の疲労回復のために相当な休憩時間の省力化、さらに試験を一人ででも実施出来ることから人員を削減することにより問題点を解決している。
【考案の効果】
【０００５】  本考案は、動力を使用した自動簡易動的コーン貫入試験機で、地盤調査時に人力で行っている地盤工学会の定める簡易動的コーン貫入試験機に五つの部位を装着して動力を使用することで、自動化し、正確性、人為的過失の防止、危険性回避、省力化、人員の削減が確保できる。したがって、従来見られた▲１▼自由落下高さの正確性、▲２▼貫入回数の数え違い、記録する際や転記する際の誤記といった人為的過失、▲３▼ロッドを手で支えていることからハンマーとノッキングヘッドの間に手指を挟む等の人身事故の発生、▲４▼腕の疲労回復のために相当な休憩時間の必要性、▲５▼二〜三人の人員が必要を解消できる面で優れている。また外観的にも優れている。
【考案の実施するための最良の形態】
【０００６】  動力を使用してハンマーを上下させることにより、自由落下高さ５０ｃｍを確保し、貫入回数を正確に計り、人身事故を防止し、作業員の休憩時間を省いて効率化し、作業を一人で行うことが出来るようになる。
【実施例】
【０００７】  動力に電気などを使うことにより簡易動的コーン貫入試験機を自動化し、動力によりハンマーを正確に上下させ、ノッキングヘッドまで５０ｃｍ落下したときにコーンが地中に貫入し、ロッドに刻まれた目盛り線で貫入の深さを、又、計測部位でハンマーの落下回数をそれぞれ計測し、地盤の調査を容易に行うことができる。
【図面の簡単な説明】
【０００８】
【図１】  考案の実施形態について図面を参照して説明する。ハンマー、ガイドロッド、ノッキングヘッド、ロッドおよびコーンからなる簡易動的コーン試験機は地盤工学会で定める規定による。図１において、地盤工学会で定める簡易動的コーン試験機に次の大きく六つの部位を装着したものである。装着部位は１制御・表示部位、２駆動部位、３稼動部位、４ａおよび４ｂ計測部位、５ａおよび５ｂ支持部位、６データ出力端末部位からなる。１の制御・表示部位は動力を制御する制御類、コントロール類、スイッチ類、表示類からなり、制御された動力を駆動部に伝えると同時に、計測された結果を表示・記録する部位である。２の駆動部位は制御部位から出力された動力で、ハンマーを正確に５０ｃｍ持ち上げ、自由落下させることを確保すると同時に繰り返し稼動出来るようにする部位である。３の稼動部位は質量５ｋｇのハンマーが高さ５０ｃｍの間を上下する部位である。４ａおよび４ｂの計測部位はハンマーの打撃回数の計測と貫入深さを計測し表示部に伝達する部位である。５ａおよび５ｂの支持部位は手で支えていたロッドおよびガイドロッドを垂直に支持し、支持するために足の長さが調節できると同時に駆動部位および計測部位をも支持する部位である。６のデータ出力端末部位は得られたデータを記憶し、出力する部位である。地盤工学会で定める簡易動的コーン試験機に五つの部位の内、その一つまたは複数部位を装着した形も含む。
【符号の説明】
【０００９】１  制御・表示部位
２  駆動部位
３  稼動部位
４ａ  計測部位−打撃回数
４ｂ  計測部位−貫入深さ
５ａ  支持部位
５ｂ  足長調節器
６  データ出力端末部位
７  動力源
８  ケーブル
0003115488.tif 000003
0003115488.tif 000004
【図１】
0003115488.tif 000005
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
人力で作動する簡易動的コーン貫入試験機に、地盤工学会の規格品のロッドやハンマーに接触せず、かつ、足の長さが調節できる足長調節器のある支持部位を付け、この支持部位に駆動部位を設置し、稼動部位でハンマーを上方向に５０ｃｍの一定量引き上げた後、自由落下させることによってハンマーの自由落下高さの正確性を確保し、ハンマーの打撃回数およびコーンの貫入量を計測する計測部位並びに計測結果を記録出力するためのデータ出力端末部位を装着したものであり、また、機械全体を制御し、記録を確認する制御・表示部位を取り付けることで、自動化したところを特徴とする自動簡易動的コーン貫入試験機。